【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
血液を分析する分析装置であって、
血液試料を含む測定試料の第１測定結果から、血液試料中の白血球に関する第１の分類を行うと共に、当該血液試料中の白血球数を検出する第１分析部と、
血液試料を含む測定試料の第２測定結果から、血液試料中の白血球に関する第２の分類を行うと共に、当該血液試料中の白血球数を検出する第２分析部と、
前記第２分析部により検出された白血球数を出力する出力部と、
第１測定結果及び第２測定結果の少なくとも一方に基づいて、前記第２分析部により検出された白血球数に異常が生じているか否かを判定する判定部と、を備え、
前記出力部は、前記第２分析部により検出された白血球数に異常が生じていると判定された場合に、前記第１分析部により検出された白血球数を出力するように構成されている分析装置。
【請求項２】
前記第１分析部は、血液試料と第１試薬とが混合された第１測定試料の測定結果を分析するように構成されており、
前記第２分析部は、血液試料と前記第１試薬とは異なる第２試薬とが混合された第２測定試料の測定結果を分析するように構成されている、
請求項１に記載の分析装置。
【請求項３】
前記第１分析部による第１分類結果と、前記第２分析部による第２分類結果とに基づいて、血液試料中の白血球を５分類するように構成されている請求項１又は２に記載の分析装置。
【請求項４】
前記第１分析部は、血液試料中の白血球を複数の分類項目に分類するように構成されており、
前記第２分析部は、血液試料中の白血球を、前記複数の分類項目のうちの１つに属する分類項目と他の白血球とに分類するように構成されている請求項１乃至３のいずれかに記載の分析装置。
【請求項５】
前記第１分析部は、血液試料中の白血球を単球、リンパ球、好中球及び好塩基球のグループ、並びに好酸球の４つに分類するように構成されており、
前記第２分析部は、血液試料中の白血球を、好塩基球と他の白血球とに分類するように構成されている、請求項４に記載の分析装置。
【請求項６】
測定試料を光学的に測定し、互いに異なる複数の光学的情報を検出する検出部をさらに備え、
前記第１分析部は、前記検出部によって測定試料を測定したときに検出された少なくとも第１の光学的情報に基づいて、血液試料中の血球に関する第１の分類を行うように構成されており、
前記第２分析部は、前記検出部によって測定試料を測定したときに検出された少なくとも第２の光学的情報に基づいて、血液試料中の血球に関する第２の分類を行うように構成されている、請求項１乃至５のいずれかに記載の分析装置。
【請求項７】
前記判定部は、白血球以外の粒子を白血球として認識することによって白血球数が多く検出される偽性高値による異常を判定する請求項１乃至６のいずれかに記載の分析装置。
【請求項８】
前記判定部は、測定試料に含まれる脂質粒子による白血球数の異常を判定するように構成されている請求項１乃至６のいずれかに記載の分析装置。
【請求項９】
前記判定部は、前記第１測定結果又は前記第２測定結果の少なくともいずれか一方から、脂質粒子による白血球数の異常を判定するように構成されている請求項８記載の分析装置。
【請求項１０】
前記判定部は、白血球以外のゴースト粒子であると認識された粒子中に脂質粒子が含まれているか否かによって白血球数の異常を判定するように構成されている請求項８又は９記載の分析装置。
【請求項１１】
前記判定部は、測定試料における溶血不良による白血球数の異常を判定するように構成されている請求項１乃至１０のいずれかに記載の分析装置。
【請求項１２】
前記判定部は、前記第２測定結果から、溶血不良による白血球数の異常を判定するように構成されている請求項１１記載の分析装置。
【請求項１３】
前記判定部は、白血球と白血球以外のゴースト粒子とを区別する境界付近に存在する粒子に基づいて白血球数の異常を判定するように構成されている請求項１乃至１２のいずれかに記載の分析装置。
【請求項１４】
血液を分析する分析装置であって、
血液試料を含む測定試料の第１測定結果から、血液試料中の白血球に関する第１の分類を行うと共に、当該血液試料中の白血球数を検出する第１分析部と、
血液試料を含む測定試料の第２測定結果から、血液試料中の白血球に関する第２の分類を行うと共に、当該血液試料中の白血球数を検出する第２分析部と、
前記第１測定結果及び第２測定結果の少なくとも一方に基づいて、第１分析部により検出された白血球数及び第２分析部により検出された白血球数のいずれか一方を選択する選択部と、
選択された白血球数を出力する出力部と、
を備える分析装置。
【請求項１５】
試料を分析する分析装置であって、
試料中の対象粒子の粒子数を検出する分析部と、
検出した対象粒子の粒子数を出力する出力部と、
前記分析部によって検出した対象粒子の粒子数が、脂質粒子の粒子数を含むために異常であるか否かを判定する判定部と、
を備える分析装置。
【請求項１６】
試料を分析する装置であって、
試料中の対象粒子の粒子数を検出する分析部と、
検出した対象粒子の粒子数を出力する出力部と、
前記分析部によって検出した対象粒子の粒子数が、前記試料に混合された試薬によって溶解されるはずの他の粒子の粒子数を含むために異常であるか否かを判定する判定部と、
を備える分析装置。
【請求項１７】
前記分析部は、前記試料の測定結果に基づいて、試料中の粒子を、前記対象粒子と、前記試薬によって溶解された前記他の粒子とに分類し、
前記判定部は、前記対象粒子の集団および前記試薬によって溶解された前記他の粒子の集団の両方の集団に近接する所定範囲に所定数以上の粒子がある場合に、前記分析部によって検出した対象粒子の粒子数が、前記試薬によって溶解されるはずの前記他の粒子の粒子数を含むために異常であると判定する、請求項１６記載の分析装置。
【手続補正２】
【補正対象書類名】明細書
【補正対象項目名】０００７
【補正方法】変更
【補正の内容】
【０００７】
本発明は、血液を分析する分析装置であって、血液試料を含む測定試料の第１測定結果から、血液試料中の白血球に関する第１の分類を行うと共に、当該血液試料中の白血球数を検出する第１分析部と、血液試料を含む測定試料の第２測定結果から、血液試料中の白血球に関する第２の分類を行うと共に、当該血液試料中の白血球数を検出する第２分析部と、前記第２分析部により検出された白血球数を出力する出力部と、第１測定結果及び第２測定結果の少なくとも一方に基づいて、前記第２分析部により検出された白血球数に異常が生じているか否かを判定する判定部と、を備え、前記出力部は、前記第２分析部により検出された白血球数に異常が生じていると判定された場合に、前記第１分析部により検出された白血球数を出力するように構成されている。
【手続補正３】
【補正対象書類名】明細書
【補正対象項目名】００２１
【補正方法】変更
【補正の内容】
【００２１】
上記発明において、前記分析部は、前記試料の測定結果に基づいて、試料中の粒子を、前記対象粒子と、前記試薬によって溶解された前記他の粒子とに分類し、前記判定部は、前記対象粒子の集団および前記試薬によって溶解された前記他の粒子の集団の両方の集団に近接する所定範囲に所定数以上の粒子がある場合に、前記分析部によって検出した対象粒子の粒子数が、前記試薬によって溶解されるはずの前記他の粒子の粒子数を含むために異常であると判定するのが好ましい。